(57)【特許請求の範囲】
【請求項１】
内容物(K) を収納する収納部(31)を有する容器本体(1) と、閉鎖部材(4) とを備え、
上記容器本体(1) が、外容器(2)と、この外容器(2) 内に収納された内容器(3) とを備え、
上記内容器(3) が、開口部(32)を有する収納部(31)を備え、
上記閉鎖部材(4) が、内容器(3) の開口部(32)を塞ぐシール部材(41)と、開口部(32)からシール部材(41)を引き剥がす際の補助をする補助部材(42)とを備え、
上記補助部材(42)が、内容器(3) における開口部(32)の外周側に上下移動可能に配位され、
上記内容器(3) の開口部(32)の上端面にはシール取付部(35)が設けられ、このシール取付部(35)の外周側には補助部材用受け部(36)が備えられ、
この補助部材用受け部(36)は、径小部(36ａ)と、径小部(36ａ)の下方側に径小部(36ａ)より径大に形成された径大部(36ｂ)と、径小部(36ａ)と径大部(36ｂ)との間に形成された載置部(36ｃ)とを備え、
補助部材(42)の内周部には、内容器(3)の補助部材用受け部(36)に嵌挿する嵌挿部(42ｄ)が備えられ、
この嵌挿部(42ｄ)は、径小嵌挿部(42ａ)と、径小嵌挿部(42ａ)の下方側に径小嵌挿部(42ａ)より径大に形成された径大嵌挿部(42ｂ)と、径小嵌挿部(42ａ)と径大嵌挿部(42ｂ)との間に形成された載置面(42ｃ)とを備え、
径小嵌挿部(42ａ)は内容器(3)の補助部材用受け部(36)における径小部(36ａ)に嵌まりこみ、径大嵌挿部(42ｂ)は内容器(3)の補助部材用受け部(36)における径大部(36ｂ)に嵌まりこみ、
上記載置面(42ｃ)は、径小嵌挿部(42ａ)と径大嵌挿部(42ｂ)とが内容器(3)の補助部材用受け部(36)の径小部(36ａ)と径大部(36ｂ)との各々に嵌挿されるに伴い、内容器(3)の補助部材用受け部(36)における載置部(36ｃ)に載置され、
補助部材(42)の上面は、シール部材(41)の補助部材接続部(41ｂ)に接続されるバージンシール接続部(42ｅ)をなしており、このバージンシール接続部(42ｅ)が内容器(3)の上記シール取付部(35)と略同一高さに位置合わせされ、
シール部材(41)の下面側には、接着部(41ａ)と、接着部(41ａ)の外周側に形成された補助部材接続部(41ｂ)とを備え、この接着部(41ａ)が内容器(3)の上記シール取付部(35)の端面に接着され、上記補助部材接続部(41ｂ)が内容器(3)の上記バージンシール接続部(42ｅ)に接着され、
外容器(2)の内容器収納部(23)の上端部には、径内側に突設された内容器受け部(23ａ)を備え、この内容器受け部(23ａ)により、補助部材(42)の下面と内容器(3)の補助部材用受け部(36)の下面とが受けられたものであることを特徴とする容器。
【請求項２】
この内容器(3) が、外容器(2) 内に出し入れ自在に収納され、
補助部材(42)と容器本体(1) とが、薄肉部(61)を有する接続部(6) を介して一体的に形成されたものであることを特徴とする請求項１記載の容器。
【請求項３】
補助部材(42)がリング状のものからなり、補助部材(42)の下面が内容器(3)の補助部材用受け部(36)の下面と略同一高さに位置合わせされていることを特徴とする請求項１又は２のいずれかに記載の容器。
【発明の詳細な説明】
【０００１】
【発明の属する技術分野】
本願発明は、化粧料、薬剤、食品等を充填し、或いは種々の物を収納する容器の改良に関するものである。
【０００２】
【従来の技術】
化粧料、薬剤、食品等の被充填物を充填した容器は、種々のデザインを施す等して高級感を持たせたものも多いが、被充填物を使い終えた後にそのまま廃棄処分していたため、コスト高になるばかりか、資源の浪費につながる。そのため、従来から、例えば図１４に示すような詰め替え用の容器が提案されている。この詰め替え用容器は、容器本体ａと、閉鎖部材ｂとから構成し、容器本体ａを、高級感を持たせた外容器ｃと、被充填物を充填する充填部ｄ１を有する内容器ｄとを備え、この内容器ｄを、外容器ｃ内に出し入れ自在に収納して詰め替え可能とし、一方、閉鎖部材ｂを、ネジ部を有する蓋体から構成し、パッキンｅを介して内容器ｄの上端外周に設けたネジ部にネジ螺合することよってして充填部ｄ１に設けた開口部ｄ２を塞ぎ、その状態で、内容器ｄを外容器ｃ内に入れるとともに、外容器用蓋ｂ１で外容器ｃの上部側を塞いでおけるようにしたものである。そして、内容器ｄの充填部ｄ１に充填した被充填物を使い終えると、内容器ｄを外容器ｃから取り出し、被充填物を充填した新たな内容器ｄを外容器ｃに詰め換える。こうすることにより、高級感を持たせた外容器ｃを廃棄せずに済ませることができる。しかしながら、このような内容器ｄに、閉鎖部材ｂをネジ螺合により塞ぐものであるため、内容器ｄ及び閉鎖部材ｂにネジ部を刻設しなければならず、コスト高になってしまう。
【０００３】
一方、従来から、容器本体の開口部にバージンシールを取り付けて開口部を塞ぐようにしたものが知られている。この容器は、例えば図１５に示すように、バージンシールｆ１を容器本体ａの開口部ａ１の周部側の端面に熱融着するとともに、容器本体ａの上端外周に設けたネジ部に蓋ｆ２を螺合するようにして開口部ａ１を塞ぐようにしたものである。そして、使用に際しては、蓋ｆ２を外すとともに、バージンシールｆ１を容器本体ａから引き剥がすことにより、開口部ａ１を開口できるようにしたものである。しかし、バージンシールｆ１を容器本体ａから引き剥がす際、バージンシールｆ１と容器本体ａとが強く接着されているため、バージンシールｆ１を容器本体ａから手で引き剥がし難いという課題がある。又、この場合において、バージンシールｆ１の外周を予め容器本体ａからはみ出させておくようにすれば、そのはみ出させた部分を持って引っ張り操作でき、バージンシールｆ１を容器本体ａから比較的容易に引き剥がすことができるが、バージンシールを容器本体ａの外周にはみ出させておくと、そのはみ出させた部分が蓋ｆ２を螺合する際に邪魔になってしまう。
【０００４】
又、このようなバージンシールを利用して、上記図１４に示した詰め替え用の容器における内容器ｄの開口部ｄ２を塞ぐようにするとすれば、内容器用蓋を不要にでき、内容器ｄ及び閉鎖部材ｂにネジ部を設けずに済み、低コストに製作できるものになるが、この場合も、バージンシールを内容器ｄの外周にはみ出させておくと、そのはみ出させた部分が外容器用蓋ｂ１をする際に邪魔になってしまう。
【０００５】
【発明が解決しようとする課題】
本願発明は、以上の実情に鑑み提案されたもので、シール部材が容器本体を塞ぐ際に邪魔になることがなく、しかも、シール部材を容易に剥がすことのできる容器の提供を第１の目的とする。
【０００６】
本願発明は、シール部材が外容器を塞ぐ際に邪魔になることがなく、しかも、シール部材を容易に剥がすことのできる詰め替え用の容器の提供を第２の目的とする。
【０００７】
本願発明は、シール部材と補助部材又は枠体とで、容器本体の開口部を開閉自在に塞ぐ蓋と機能させることのできる容器の提供を第３の目的とする。
【０００８】
【課題を解決するための手段】
本願の請求項１に係る発明は、内容物Ｋを収納する収納部３１を有する容器本体１と、閉鎖部材４とを備え、上記容器本体１が、外容器２と、この外容器２内に収納された内容器３とを備え、上記内容器３が、開口部３２を有する収納部３１を備え、上記閉鎖部材４が、内容器３の開口部３２を塞ぐシール部材４１と、開口部３２からシール部材４１を引き剥がす際の補助をする補助部材４２とを備え、上記補助部材４２が、内容器３における開口部３２の外周側に上下移動可能に配位され、上記内容器３の開口部３２の上端面にはシール取付部３５が設けられ、このシール取付部３５の外周側には補助部材用受け部３６が備えられ、この補助部材用受け部３６は、径小部３６ａと、径小部３６ａの下方側に径小部３６ａより径大に形成された径大部３６ｂと、径小部３６ａと径大部３６ｂとの間に形成された載置部３６ｃとを備え、補助部材４２の内周部には、内容器３の補助部材用受け部３６に嵌挿する嵌挿部４２ｄが備えられ、この嵌挿部４２ｄは、径小嵌挿部４２ａと、径小嵌挿部４２ａの下方側に径小嵌挿部４２ａより径大に形成された径大嵌挿部４２ｂと、径小嵌挿部４２ａと径大嵌挿部４２ｂとの間に形成された載置面４２ｃとを備え、径小嵌挿部４２ａは内容器３の補助部材用受け部３６における径小部３６ａに嵌まりこみ、径大嵌挿部４２ｂは内容器３の補助部材用受け部３６における径大部３６ｂに嵌まりこみ、上記載置面４２ｃは、径小嵌挿部４２ａと径大嵌挿部４２ｂとが内容器３の補助部材用受け部３６の径小部３６ａと径大部３６ｂとの各々に嵌挿されるに伴い、内容器３の補助部材用受け部３６における載置部３６ｃに載置され、補助部材４２の上面は、シール部材４１の補助部材接続部４１ｂに接続されるバージンシール接続部４２ｅをなしており、このバージンシール接続部４２ｅが内容器３の上記シール取付部３５と略同一高さに位置合わせされ、シール部材４１の下面側には、接着部４１ａと、接着部４１ａの外周側に形成された補助部材接続部４１ｂとを備え、この接着部４１ａが内容器３の上記シール取付部３５の端面に接着され、上記補助部接続部４１ｂが内容器３の上記バージンシール接続部４２ｅに接着され、外容器２の内容器収納部２３の上端部には、径内側に突設された内容器受け部２３ａを備え、この内容器受け部２３ａにより、補助部材４２の下面と内容器３の補助部材用受け部３６の下面とが受けられたものであることを特徴とする容器を提供することにより、上記の課題を解決する。
【０００９】
本願の請求項２に係る発明は、この内容器３が、外容器２内に出し入れ自在に収納され、補助部材４２と容器本体１とが、薄肉部６１を有する接続部６を介して一体的に形成されたものであることを特徴とする請求項１記載の容器を提供する。
【００１０】
本願の請求項３に係る発明は、補助部材４２がリング状のものからなり、補助部材４２の下面が内容器３の補助部材用受け部３６の下面と略同一高さに位置合わせされていることを特徴とする請求項１又は２のいずれかに記載の容器を提供する。
【００１１】
【発明の実施の形態】
以下、図を基に本願発明の一実施形態を具体的に説明する。
図１は、本願発明の容器の一実施形態の詰め替え用容器の分解斜視図、図２は、その断面図である。
【００１２】
本実施形態の容器は、詰め替え用容器から構成されている。この詰め替え用容器は、容器本体１と、閉鎖部材４と、封止部材５とを備えている。容器本体１は、外容器２と、外容器２とは別体からなる内容器３とを備えている。外容器２は、外容器本体２１と、外容器用蓋体２２とを有しており、外容器本体２１の内部には、内容器収納部２３が備えられている。又、この内容器収納部２３の上端部には、径内側に突設された内容器受け部２３ａを備え、内容器収納部２３に収納した内容器３を内容器受け部２３ａで受けられるようになされている。外容器本体２１の上面側は、開口されて内容器出入用口２４が形成されており、この内容器出入用口２４から内容器収納部２３に内容器３を出し入れできるようになされている。外容器用蓋体２２は、外容器本体２１の上端の外周部に着脱自在に嵌挿されることにより、内容器出入用口２４を塞ぐようになされている。
【００１３】
内容器３は、内容物としての被充填物Ｋを収納しておくためのもので、内容器３の内部には、収納部としての充填部３１が備えられ、この充填部３１に被充填物Ｋを充填できるようになされている。充填部３１の上端側には、開口部３２が備えられている。この開口部３２は、充填部３１に充填した被充填物Ｋを使用する際に被充填物Ｋを取り出すための取り出し口としてのもので、内容器３の上面全体が開口されている。
【００１４】
又、内容器３の上端面には、図２、図３に示すようにシール取付部３５が備えられている。このシール取付部３５は、後述の閉鎖部材４のバージンシール４１を取り付ける部分をなすもので、内容器３の上端面の全周に渡って形成されている。又、このシール取付部３５の外周側には、後述の閉鎖部材４の補助部材４２を受ける補助部材用受け部３６が備えられている。この補助部材用受け部３６は、径小部３６ａと、径小部３６ａの下方側に径小部３６ａより径大に形成された径大部３６ｂと、径小部３６ａと径大部３６ｂとの間に形成された載置部３６ｃとを備えている。載置部３６ｃは、補助部材４２を載置するためのもので、径小部３６ａ及び径大部３６ｂと共に、シール取付部３５の外周側の全周に渡って形成されている。
【００１５】
又、この実施形態では、図２に示すように内容器３における充填部３１の下端中央部に、充填部３１に被充填物Ｋを充填するための充填用口３３が備えられている。また、充填部３１における充填用口３３の周部には、テーパー部３４が備えられている。このテーパー部３４は、充填用口３３から充填部３１に被充填物Ｋを充填する際に充填部３１内の空気を充填用口３３から逃がすためのもので、充填用口３３から所定の高さ範囲に渡って、充填用口３３に行くに従って漸次充填部３１の内周径を小さくするようにして形成されている。又、内容器３における充填用口３３の周部には、下方に突設された円筒体３８ａが備えられ、その円筒体３８ａの下面全周に封止部材取付部３８が形成されている。一方、内容器３の下端における外周側には、脚部３７が備えられている。
【００１６】
閉鎖部材４は、内容器３の開口部３２を塞ぐためのもので、本実施形態では、図２、図３に示すようにシール取付部３５に引き剥がし可能に密着されたシート状のシール部材としてのバージンシール４１と、バージンシール４１の外周の下方側に取り付けられたリング状の補助部材４２と、バージンシール４１の上面側に取り付けられた装飾用プレート４３とから構成されている。バージンシール４１は、開口部３２を密封しておくとともに、充填部３１に被充填物Ｋを充填する際に被充填物Ｋを受けて被充填物Ｋの上面Ｋ１を平坦な均一レベル面に形成するためのもので、この実施形態では、シール取付部３５に熱融着可能なもの、例えばＰＥＴフィルム等の合成樹脂フィルム、合成樹脂フィルムに金属箔を蒸着又はラミネートしたもの、或いは金属箔等から構成されている。又、このバージンシール４１の外周径は、シール取付部３５の径より大きいものから構成されている。このバージンシール４１の下面側には、接着部４１ａと、接着部４１ａの外周側に形成された補助部材接続部４１ｂとを備えている。接着部４１ａは、シール取付部３５に熱融着される部分で、シール取付部３５に熱融着されることにより、開口部３２を密封する。この際、バージンシール４１に代え、例えば合成樹脂板をシール取付部３５に熱融着した場合には開口部３２を密封できても引き剥がしできないものになってしまうが、このようにしてバージンシール４１を用いてシール取付部３５に熱融着することにより、開口部３２を密封できるとともに引き剥がし可能なものにできる。又、このようにしてバージンシール４１を用いて開口部３２を封することにより、内容器３に容易に密着させて開口部３２を密封することができる。これにより、従来のように蓋を内容器３にネジ螺合しなくても良いものにでき、ネジの形成を不要にして低コストで製作できる。尚、バージンシール４１の接着部４１ａと内容器３のシール取付部３５との接着手段は、熱融着によるものに限らず、接着剤等により接着するようにしても良く、適宜変更し得る。
【００１７】
補助部材４２は、バージンシール４１を補強してバージンシール４１をシール取付部３５から引き剥がし易くするためのもので、バージンシール４１と同程度の外周径を有するリング状のものから構成されている。補助部材４２の内周部には、嵌挿部４２ｄが備えられている。この嵌挿部４２ｄは、内容器３の補助部材用受け部３６に嵌挿するためのもので、径小嵌挿部４２ａと、径小嵌挿部４２ａの下方側に径小嵌挿部４２ａより径大に形成された径大嵌挿部４２ｂと、径小嵌挿部４２ａと径大嵌挿部４２ｂとの間に形成された載置面４２ｃとを備えている。径小嵌挿部４２ａは、内容器３の補助部材用受け部３６における径小部３６ａに嵌まりこみ可能な大きさに、径大嵌挿部４２ｂは、内容器３の補助部材用受け部３６における径大部３６ｂに嵌まりこみ可能な大きさに、夫々形成されている。又、載置面４２ｃは、径小嵌挿部４２ａと径大嵌挿部４２ｂとが内容器３の補助部材用受け部３６の径小部３６ａと径大部３６ｂとの各々に嵌挿されるに伴い、内容器３の補助部材用受け部３６における載置部３６ｃに載置されるようになされている。補助部材４２の上面は、バージンシール４１の補助部材接続部４１ｂに接続されるバージンシール接続部４２ｅをなしており、載置面４２ｃが内容器３の載置部３６ｃに載置されるに伴って、バージンシール接続部４２ｅが内容器３のシール取付部３５と略同一高さに位置合わせされるようになされている。このバージンシール接続部４２ｅとバージンシール４１の補助部材接続部４１ｂとの接続は、嵌挿部４２ｄを内容器３の補助部材用受け部３６に嵌挿させた状態で、バージンシール４１をシール取付部３５に熱融着する際に、同時にバージンシール接続部４２ｅにバージンシール４１の補助部材接続部４１ｂを熱融着することにより行うことができる。尚、載置面４２ｃが内容器３の載置部３６ｃに載置されるに伴って、補助部材４２の下面が内容器３の補助部材用受け部３６の下面と略同一高さに位置合わせされるようになされている。
【００１８】
装飾用プレート４３は、バージンシール４１の上面を装飾すためのもので、バージンシール４１と同じ大きさのものからなる。そして、装飾用プレート４３は、バージンシール４１の上面にテープや接着剤等の接着手段により接着されることにより、バージンシール４１の上面全体を覆ってバージンシール４１の上面全体を装飾している。
【００１９】
封止部材５は、内容器３の充填用口３３を塞ぐためのもので、この実施形態では、閉鎖部材４のバージンシール４１と同構成を採るバージンシールから構成されており、内容器３の封止部材取付部３８に熱融着されることにより、充填用口３３を塞いでいる。尚、この封止部材５は、シート状のバージンシールから構成して内容器３の封止部材取付部３８に熱融着して充填用口３３を塞ぐ形態のものに限らず、充填用口３３を塞ぐことのできるものであれば良く、例えば封止部材５を合成樹脂板から構成して封止部材取付部３８に熱融着により固定することにより、或いは封止部材５を蓋体から構成して封止部材取付部３８にネジ螺合することにより、更には封止部材５を栓部材から構成して充填用口３３に栓をすることにより、充填用口３３を塞ぐようにしても良く、適宜変更し得る。
【００２０】
次に、この内容器３の充填部３１への被充填物Ｋの充填方法について、説明する。
まず、内容器３のシール取付部３５に閉鎖部材４を装着した状態で、図４に示すように内容器３を上下逆さまにして内容器３の充填用口３３を上にする。これにより、閉鎖部材４のバージンシール４１が充填部３１の底面をなした状態になる。そして、この状態で、充填装置の充填ノズルＮを充填用口３３から充填部３１内に挿入し、例えば被充填物Ｋとして化粧用クリームＫを充填していく。充填された化粧用クリームＫは、バージンシール４１上に受けられて徐々に高さを増していく。この化粧用クリームＫの高さの上昇に伴い充填ノズルＮを徐々に引き上げていき、化粧用クリームＫが充填用口３３にくるまで充填する。その際、この図４に示すように充填部３１における充填用口３３の上部（この図４では、充填用口３３の下部側に配位された状態になっている。）に、充填用口３３側に行くに従って漸次内周径を小さくしたテーパー部３４を設けているため、充填部３１内の空気が化粧用クリームＫの上昇に伴ってテーパー部３４に沿って押し上げられていき、充填部３１内の空気を充填用口３３から逃がすことができ、充填部３１内に空気の気泡が形成されるようなことを防止できる。これにより、充填部３１の全体に化粧用クリームＫだけを入れることができ、化粧用クリームＫの充填量を常時一定にして充填できる。化粧用クリームＫの充填後、封止部材５を内容器３の封止部材取付部３８に熱融着して、充填用口３３を塞いでおく。
【００２１】
このようにして被充填物Ｋの充填された内容器３は、外容器２の内容器出入用口２４から内容器収納部２３に入れられ、内容器収納部２３内で、外容器２の内容器受け部２３ａに内容器３の補助部材用受け部３６の下面が受けられているとともに、内容器３の脚部３７が内容器収納部２３の底面に置かれた状態で配位される。そして、使用に際しては、内容器３の閉鎖部材４のバージンシール４１を剥がして使用するが、このバージンシール４１を剥がす場合は、例えば図５に示すように補助部材４２の右端側を内容器３に対して上方側に引き上げる。これにより、補助部材４２の左端側が回動の軸になって内容器３に対して回動し、その回動に際してバージンシール４１も共に回動して内容器３に対して引き上げることができる。又、その際、バージンシール４１の外周を全周に渡って補助部材４２に熱融着させているため、バージンシール４１を張った状態に維持させながら内容器３に対して右端側から引き上げることができ、バージンシール４１を簡単に、右端側から順次引き剥がすことができる。又、バージンシール４１を引き剥がした後の被充填物Ｋの上面Ｋ１は、バージンシール４１の面に沿って形成されている。従って、バージンシール４１の下面を平坦面に形成しておけば、被充填物Ｋの上面Ｋ１を、平坦な均一レベル面に形成でき、或いは、バージンシール４１の下面を、エンボス加工等によって凹凸を形成してキャラクター等の絵や模様等を現しておくことにより、被充填物Ｋの上面Ｋ１に、キャラクター等の絵や模様等をそのまま現すことができ、商品価値のあるものにできる。
【００２２】
一方、内容器３の被充填物Ｋを使い終えた場合は、空っぽになった内容器３を外容器２から取り出して、被充填物Ｋを充填した新たな内容器３を詰め替える。この詰め替えに際しては、新たな内容器３の閉鎖部材４を、上述のようにして予め剥がし、その状態で外容器２に入れるようにすれば良い。
【００２３】
尚、本実施形態では、閉鎖部材４を、バージンシール４１と補助部材４２と装飾用プレート４３とから構成しているが、この形態のものに限らず、装飾用プレート４３を設けずにバージンシール４１と補助部材４２とから構成しても良く、適宜変更し得る。
【００２４】
又、補助部材４２は、内容器３と別体のものから構成するものに限らず、内容器３と一体的に形成したものであっても良い。詳しくは、例えば図６(A)(B)に示すように内容器３の右端側の外周一部と、リング状の補助部材４２の右端側の内周一部との間に接続部６を設け、この接続部６を介して補助部材４２を内容器３から延設するようにして補助部材４２と内容器３とを一体的に形成する。又、この接続部６には、図７に示すように、内容器３と補助部材４２との間に、周方向に沿って厚さの薄い薄肉部６１を有するものとし、内容器３に対する補助部材４２の回動操作に伴って接続部６を折れちぎることができるものにしておく。このように構成しておくことにより、補助部材４２を、内容器３と別途に製作しなくても内容器３を製作する際に一体的に形成でき、低コストで製作できる。一方、図８(A) に示すようにバージンシール４１を、内容器３及び補助部材４２の上面に接着するようにするとともに、その上に装飾用プレート４３を配して内容器３の開口部３２を封した後、内容器３の開口部３２からバージンシール４１を剥がす場合は、図８(B) に示すように補助部材４２における接続部６と反対側の左端側を、内容器３に対して上方に回動操作する。これにより、バージンシール４１を内容器３の左端側から順次引き剥がすことができる。又、補助部材４２を回動に伴って接続部６が折れちぎれ、補助部材４２を内容器３から分離でき、バージンシール４１を内容器３から取り除くことができる。
【００２５】
又、この場合において、接続部６の薄肉部６１を、内容器３に対する補助部材４２の回動操作に伴って折れちぎれるようにして補助部材４２を内容器３から分離させる形態のものに限らず、内容器３に対する補助部材４２の回動操作に伴って、接続部を折り曲げ可能なものに形成しておき、接続部６の薄肉部６１を、内容器３と補助部材４２とのヒンジ部にして補助部材４２を内容器３に対して回動自在に接続したものとしておいても良い。このようにして、接続部６をヒンジ部にしておくことにより、内容器３内の被充填物Ｋの一部を使用してから内容器３内の被充填物Ｋを再度使用するまでの間、補助部材４２を回動操作することによって、バージンシール４１で内容器３の開口部３２に蓋をしておくことができる。従って、例えばこのような補助部材４２を有する内容器３を、外容器用蓋体２２を有する外容器２に入れて使用する場合には、バージンシール４１を内蓋とし、外容器用蓋体２２を外蓋として機能させて二重蓋にして使用できる。
【００２６】
更に、補助部材４２に、補助部材４２を回動操作する操作片４５を、補助部材４２の外周から径外方向に突設するようにしておいても良い。例えば上記のように接続部６を介して補助部材４２と内容器３とを接続する場合、図９(A)(B)に示すように補助部材４２における接続部６と反対側の左端側に、操作片４５を、補助部材４２の外周から径外方向に突設させておく。操作片４５を設けておかない場合には、バージンシール４１を内容器３及び補助部材４２の上面に接着するようにして内容器３の開口部３２を封した後には、接続部６の位置が上方側から見えなくなり、その結果、補助部材４２を回動操作する際の押し上げ位置が判らずに補助部材４２における接続部６の近くの部分を押し上げてしまい、補助部材４２を接続部６を軸に回動操作できない場合もある。そこで、このような操作片４５を設けておくことにより、ユーザーが補助部材４２を回動操作する際の押し上げ位置が即座に判り、確実に補助部材４２を接続部６を軸に回動操作でき、ユーザーにとって使用し易いものにできるとともに、補助部材４２を操作し易いものにできる。
【００２７】
また、補助部材４２は、リング状のものから構成する形態のものに限らず、例えばリングの一部からなる湾曲状のものであっても良い。詳しくは、例えば図１０(A)(B)(C) に示すように内容器３の外周一部に、手で折れ損可能な薄肉部６１を有する接続部６を介して補助部材４２を一体的に形成するようにし、補助部材４２を内容器３に対して手で下方側から上方側に押圧すれば薄肉部８から補助部材４２と内容器３とを切り離しできるようにしても良く、適宜変更できる。
【００２８】
一方、外容器２の外容器用蓋体２２は、外容器本体２１に嵌挿する形態のものに限らず、外容器本体２１の上部外周に雄ネジ部を形成しておき、外容器用蓋体２２の内周部に、その雄ネジ部に螺合する雌ネジ部を形成するようにしても良い。
【００２９】
又、本実施形態では、内容器３の下端側に充填用口３３を設けたものとしているが、この形態のものに限らず、充填用口３３を設けずに開口部３２から被充填物Ｋを充填する形態のものであっても良い。又、内容器３の下端側に充填用口３３を設ける場合、内容器３の充填部３１における充填用口３３の周部側にテーパー部３４を設ける形態のものに限らず、例えば充填部３１における充填用口３３の周部側に、バージンシール４１と略平行になる水平面を形成したものであっても良い。ただし、この場合は、充填部３１に被充填物Ｋを充填すると、水平面と被充填物Ｋとの間に、充填部３１内の空気が溜まって気泡が発生するおそれが生じるので、上記実施形態のようにテーパー部３４を設けておき、被充填物Ｋの充填に際して充填部３１内の空気を自然と逃がすようにして気泡の発生を防止できるようにしておくのが好ましい。
【００３０】
また、本実施形態では、容器本体１を、外容器２に内容器３を詰め替え可能とした詰め替え用の容器から構成しているが、この形態のものに限らず、例えば図１１に示すように一つの容器本体１から構成したものであっても良い。詳しくは、容器を、容器本体１と、閉鎖部材４と、蓋９とから構成する。容器本体１は、上部側に開口部３２を有する充填部３１を備える。又、容器本体１の上部側の外周には、載置部１１を有する補助部材用受け部１２と、補助部材用受け部１２の下方側にネジ部１３とを備えている。閉鎖部材４は、バージンシール４１と、リング状の補助部材４２とを備えている。補助部材４２は、容器本体１の補助部材用受け部１２に嵌挿されて載置部１１に載置され、バージンシール４１は、容器本体１の上端面と補助部材４２の上面に熱融着される。蓋９は、バージンシール４１で開口部３２を塞いだ容器本体１のネジ部１３に螺合される。このように構成するようにしても、バージンシール４１を引き剥がす際には、補助部材４２を容器本体１から引き上げれば良く、これにより、容器にバージンシール４１を容器本体１から引き剥がすことができる。又、バージンシール４１を容器本体１のネジ部１３の外周から多くの量をはみ出さずに済ませることができるため、蓋９を閉める際にバージンシール４１が邪魔になるようなことを防止できる。また、一つの容器本体１から構成する場合、上述の接続部６を介して補助部材４２を内容器３から延設するようにして補助部材４２と内容器３とを一体的に形成した補助部材４２を有する内容器３だけで容器本体１を構成することもでき、適宜変更し得る。
【００３１】
又、上記実施形態では、被充填物Ｋとして化粧用クリームを使用しているが、これに限らず、他の化粧料、薬剤、食品等を充填する容器に適応でき、適宜変更し得る。更には、本願発明の容器は、化粧用クリーム等の化粧料、薬剤、食品等の被充填物Ｋを充填する充填用として使用する形態のものに限らず、種々の物を収納する収納用の容器として用いることもできる。以下に、内容物を収納し得る収納用として用いることのできる容器について説明する。
【００３２】
この容器は、図１２(A)(B)に示すように、容器本体１と、閉鎖部材４とを備えている。容器本体１は、直方体状を呈し、上端に開口部３２を有する収納部３１を備えている。収納部３１は、種々の内容物を収納するためのもので、上述の充填用の容器の実施形態における充填部３１がこの収納部３１に相当している。
【００３３】
閉鎖部材４は、枠体４２と、シール部材４１とを備えている。枠体４２は、上述の充填用の容器の実施形態における補助部材４２に相当し、実質的に補助部材４２と同じもので、筒状のものから構成され、内周側に容器本体１を受容し得る長方形状の本体受容孔４２ｅを備えている。そして、この枠体４２は、枠体４２の右端側と容器本体１の右端側との間に設けた接続部６を介して一体的に形成されており、この一体成形に際し、枠体４２が、本体受容孔４２ｅ内に容器本体１を受容して容器本体１の開口部３２の全周に沿って配位された状態にされる。又、この接続部６には、厚さの薄い折り曲げ自在な薄肉部６１が備えられており、この薄肉部６１によって、枠体４２の左端側が、薄肉部６１を回動の軸にして容器本体１に対して上下方向に回動自在とされている。
【００３４】
閉鎖部材４のシール部材４１は、枠体４２の上端面に接着されることにより、容器本体１の開口部３２を上方側から塞いでいる。
【００３５】
使用に際しては、枠体４２の左端側を、容器本体１に対して上方側に引き上げる。これにより、開口部３２を塞いでいるシール部材４１が枠体４２と共に引き上げられ、容器本体１の開口部３２を開放でき、内容物を適宜取り出すことができる。又、内容物を適宜取り出した後は、枠体４２を元の状態に戻せば、シール部材４１で容器本体１の開口部３２を塞ぐことができるとともに、再度枠体４２を回動操作すれば容器本体１の開口部３２を開放でき、枠体４２とシール部材４１とを開閉自在な蓋として機能させることができる。また、その際、例えば容器本体と蓋とを、容器本体の開口部を開放した状態となる位置に並べて一体成形した場合には、蓋を回動操作して容器本体の開口部を閉めれば、蓋を元の状態に戻そうとする弾性が回動軸となる接続部に働き、回動操作している蓋から手を離せば、その弾性により蓋が開いてしまうため、容器本体と蓋とを閉めた状態で係止しておく係止手段を設ける必要があるとともに、閉め操作がし難くなってしまう。しかし、この実施形態のように容器本体１の開口部３２を閉めた状態となる図１２(B) に示す位置で、枠体４２と容器本体１とを接続部６を介して一体成形することにより、枠体４２を回動操作して容器本体１の開口部３２を開ければ、枠体４２を元の状態に戻そうとする弾性が接続部６に働き、回動操作している枠体４２から手を離せば、その弾性により枠体４２を、自然と容器本体１の開口部３２を閉めた状態に戻すことができ、その状態に維持させることができる。従って、容器本体１と枠体４２とを閉めた状態で係止しておく係止手段を不要にできるとともに、閉め操作を容易なものにできる。ただし、容器本体１と枠体４２とを閉めた状態で係止しておく係止手段を設けておいても良く、適宜変更できる。しかも、容器本体１の開口部３２を閉めた状態となる位置で枠体４２と容器本体１とを一体成形することにより、上記のように容器本体の開口部を開放した状態となる位置に容器本体と蓋とを並べて一体成形した場合に比し、成形時の金型を小さくでき、低コストで製作できるとともに、製作を簡単なものにできる。
【００３６】
尚、この実施形態において、図１３に示すように閉鎖部材４のシール部材４１を、枠体４２の上端面に接着するとともに、容器本体１の上端面に接着して収納部３２を密閉しておくようにしても良い。この場合は、使用に際し、枠体４２の左端側を容器本体１に対して上方側に引き上げれば、シール部材４１を容器本体１から外すことができ、枠体４２がシール部材４１を剥がす際の補助部材として機能させることができる。そして、一旦、容器本体１に接着したシール部材４１を容器本体１から外せば、上記と同様に枠体４２とシール部材４１とを開閉用の蓋として使用できる。
【００３７】
【発明の効果】
以上、本願の請求項１に係る発明は、シール部材４１を引き剥がす際には、補助部材４２を引き上げれば良く、これにより、補助部材４２に接続したシール部材４１を共に引き上げることができ、容易にシール部材４１を引き剥がすことができる。一方、補助部材４２を介してシール部材４１を引き剥がすことができるため、シール部材４１を、内容器３の外周に多くの量をはみ出させておかなくても良く、蓋を閉める場合に内容器３の外周にはみ出したシール部材４１が邪魔になるようなことを防止できる。
【００３８】
本願の請求項２の発明は、補助部材４２を、内容器３と別途に製作しなくても内容器３を製作する際に一体的に形成でき、低コストで製作できる。一方、容器本体１からシール部材４１を剥がす場合は、補助部材４２における接続部６と反対側の部分を、内容器３に対して上方に回動操作することにより、シール部材４１を内容器３から剥がすことができる。
【００３９】
本願の請求項３の発明は、補助部材４２を、リング状のものから構成するため、補助部材４２の一端側を引き上げれば補助部材４２の他端側が回動の軸となって回動し、その回動に際してシール部材４１を補助部材４２に張った状態で共に回動でき、シール部材４１を一端側から順次簡単に引き剥がすことができる。これにより、シール部材４１の引き剥がし操作を、より一層簡単なものにできる。
【図面の簡単な説明】
【図１】  本願発明の容器の一実施形態の詰め替え用容器の分解斜視図である。
【図２】  その断面図である。
【図３】  熱融着した内容器と閉鎖部材との要部拡大断面図である。
【図４】  内容器の充填部に被充填物を充填する際の断面説明図である。
【図５】  内容器からバージンシールを引き剥がす際の断面説明図である。
【図６】  (A) は、他の実施形態の補助部材を設けた内容器の断面説明図であり、(B) は、その平面図である。
【図７】  接続部の要部拡大断面図である。
【図８】  (A) は、図６に示す他の実施形態の補助部材を設けた内容器をバージンシールで封した状態の断面図、(B)は、その封した状態からバージンシールを剥がす際の断面説明図である。
【図９】  (A) は、更に他の実施形態の補助部材を設けた内容器の平面図、(B) は、その内容器をバージンシールで封した状態の断面図である。
【図１０】  (A) は、更に他のもう一つの実施形態の補助部材を設けた内容器の平面図、(B) は、図１０(A) のX −X 線断面図、(C) は、補助部材を操作する際の断面説明図である。
【図１１】  容器本体の他の実施形態の断面図である。
【図１２】  内容物を収納する収納用の容器とした実施形態に係り、(A) は、シール部材を外した状態の平面図、(B) は、縦断面図である。
【図１３】  収納用の容器とした他の実施形態の縦断面図である。
【図１４】  従来例の断面図である。
【図１５】  他の従来例の断面図である。
【符号の説明】
１            容器本体
２            外容器
３            内容器
４            閉鎖部材
５            封止部材
３１          充填部
３２          開口部
３３          充填用口
３４          テーパー部
４１          バージンシール
４２          補助部材
Ｋ            被充填物
【図１】
0004531171.tif 000002
【図２】
0004531171.tif 000003
【図３】
0004531171.tif 000004
【図４】
0004531171.tif 000005
【図５】
0004531171.tif 000006
【図６】
0004531171.tif 000007
【図７】
0004531171.tif 000008
【図８】
0004531171.tif 000009
【図９】
0004531171.tif 000010
【図１０】
0004531171.tif 000011
【図１１】
0004531171.tif 000012
【図１２】
0004531171.tif 000013
【図１３】
0004531171.tif 000014
【図１４】
0004531171.tif 000015
【図１５】
0004531171.tif 000016